(57)【特許請求の範囲】
【請求項１】
少なくとも１つのＬＥＤ光源を有するＬＥＤユニットと、
前記ＬＥＤユニットを、建築物の窓ガラスまたは前記窓ガラスの内側の直近に着脱自在に取り付ける取付手段とを備える照明器具であって、
前記ＬＥＤユニットを駆動して、前記ＬＥＤ光源から発せられた光により照明を行うと供に、前記ＬＥＤ光源で発生した熱により前記窓ガラスの内側に生じるコールドドラフトを防止するよう構成されており、
当該照明器具は、前記取付手段により、前記ＬＥＤユニットと共に、前記窓ガラスまたは前記窓ガラスの内側の直近に着脱自在に取り付けられ、前記窓ガラスを介して冷却されて下降する空気流を塞き止める壁部を有し、
前記取付手段により前記ＬＥＤユニットおよび前記壁部が取り付けられた状態で、前記ＬＥＤユニットは、前記窓ガラスと前記壁部との間に位置することを特徴とする照明器具。
【請求項２】
前記取付手段は、前記ＬＥＤユニットを、前記窓ガラス自体、または、前記窓ガラスの内側にある窓枠、障子、襖、ブラインド、カーテンおよび手摺とのうちのいずれかに取り付けるものである請求項１に記載の照明器具。
【請求項３】
少なくとも１つのＬＥＤ光源を有するＬＥＤユニットを備える照明器具であって、
前記ＬＥＤユニットは、建築物の窓ガラスまたは前記窓ガラスの内側の直近に設置され、
前記ＬＥＤユニットを駆動して、前記ＬＥＤ光源から発せられた光により照明を行うと供に、前記ＬＥＤ光源で発生した熱により前記窓ガラスの内側に生じるコールドドラフトを防止するよう構成されており、
照明器具は、前記窓ガラスを介して冷却されて下降する空気流を塞き止める壁部を有し、
前記ＬＥＤユニットは、前記窓ガラスと前記壁部との間に位置することを特徴とする照明器具。
【請求項４】
前記ＬＥＤユニットは、前記窓ガラス自体、または、前記窓ガラスの内側にある窓枠、障子、襖、ブラインド、カーテンおよび手摺とのうちのいずれかに設置される請求項３に記載の照明器具。
【請求項５】
当該照明器具の使用状態で、前記ＬＥＤユニットは、前記窓ガラスの鉛直方向の下側に位置する請求項１ないし４のいずれかに記載の照明器具。
【請求項６】
前記ＬＥＤ光源で発生した熱により加熱されて上昇する空気流により、前記窓ガラスを介して冷却されて下降する空気流を相殺または緩和するよう構成されている請求項１ないし５のいずれかに記載の照明器具。
【請求項７】
前記ＬＥＤユニットは、当該照明器具が作動中か否かを示すパイロットランプとしての機能を有する請求項１ないし６のいずれかに記載の照明器具。
【請求項８】
前記ＬＥＤユニットは、前記ＬＥＤ光源を複数有し、該複数のＬＥＤ光源が連設されている請求項１ないし７のいずれかに記載の照明器具。
【請求項９】
請求項１ないし８のいずれかに記載の照明器具を備えることを特徴とする建築部材。
【請求項１０】
当該建築部材には、窓ガラスと、窓ガラスの内側にある窓枠、障子、襖、ブラインド、カーテンおよび手摺とが含まれる請求項９に記載の建築部材。
【発明の詳細な説明】
【技術分野】
【０００１】
本発明は、照明器具および建築部材に関するものである。
【背景技術】
【０００２】
冬季、住宅（建築物）においては、窓の近傍の室内の空気が、その窓ガラス（ガラス板）を介して冷却されて下降する、いわゆるコールドドラフト（冷気流）が生じてしまうという問題がある。このコールドドラフトが生じると、暖房が作動していても、居住者は、特に、その足元が、「スースー」したり、「ヒヤッ」とする不快感を感じてしまう。
【０００３】
このため、従来は、窓の室内側の近傍に、コールドドラフト防止装置として、ヒータや温水を利用した熱源を設置し、その熱により、コールドドラフトを防止している（例えば、特許文献１参照）。
【０００４】
しかしながら、従来のコールドドラフト防止装置は、コールドドラフトを防止する機能しか有していない。
【０００５】
【特許文献１】特開２００４−１１６９７４号公報
【発明の開示】
【発明が解決しようとする課題】
【０００６】
本発明の目的は、コールドドラフトを防止し得ると共に、美的効果や防犯効果が得られる照明器具および建築部材を提供することにある。
【課題を解決するための手段】
【０００７】
このような目的は、下記（１）〜（１０）の本発明により達成される。
（１）  少なくとも１つのＬＥＤ光源を有するＬＥＤユニットと、
前記ＬＥＤユニットを、建築物の窓ガラスまたは前記窓ガラスの内側の直近に着脱自在に取り付ける取付手段とを備える照明器具であって、
前記ＬＥＤユニットを駆動して、前記ＬＥＤ光源から発せられた光により照明を行うと供に、前記ＬＥＤ光源で発生した熱により前記窓ガラスの内側に生じるコールドドラフトを防止するよう構成されており、
当該照明器具は、前記取付手段により、前記ＬＥＤユニットと共に、前記窓ガラスまたは前記窓ガラスの内側の直近に着脱自在に取り付けられ、前記窓ガラスを介して冷却されて下降する空気流を塞き止める壁部を有し、
前記取付手段により前記ＬＥＤユニットおよび前記壁部が取り付けられた状態で、前記ＬＥＤユニットは、前記窓ガラスと前記壁部との間に位置することを特徴とする照明器具。
【００１０】
（２）  前記取付手段は、前記ＬＥＤユニットを、前記窓ガラス自体、または、前記窓ガラスの内側にある窓枠、障子、襖、ブラインド、カーテンおよび手摺とのうちのいずれかに取り付けるものである上記（１）に記載の照明器具。
【００１１】
（３）  少なくとも１つのＬＥＤ光源を有するＬＥＤユニットを備える照明器具であって、
前記ＬＥＤユニットは、建築物の窓ガラスまたは前記窓ガラスの内側の直近に設置され、
前記ＬＥＤユニットを駆動して、前記ＬＥＤ光源から発せられた光により照明を行うと供に、前記ＬＥＤ光源で発生した熱により前記窓ガラスの内側に生じるコールドドラフトを防止するよう構成されており、
照明器具は、前記窓ガラスを介して冷却されて下降する空気流を塞き止める壁部を有し、
前記ＬＥＤユニットは、前記窓ガラスと前記壁部との間に位置することを特徴とする照明器具。
【００１４】
（４）  前記ＬＥＤユニットは、前記窓ガラス自体、または、前記窓ガラスの内側にある窓枠、障子、襖、ブラインド、カーテンおよび手摺とのうちのいずれかに設置される上記（３）に記載の照明器具。
【００１５】
（５）  当該照明器具の使用状態で、前記ＬＥＤユニットは、前記窓ガラスの鉛直方向の下側に位置する上記（１）ないし（４）のいずれかに記載の照明器具。
【００１６】
（６）  前記ＬＥＤ光源で発生した熱により加熱されて上昇する空気流により、前記窓ガラスを介して冷却されて下降する空気流を相殺または緩和するよう構成されている上記（１）ないし（５）のいずれかに記載の照明器具。
【００１７】
（７）  前記ＬＥＤユニットは、当該照明器具が作動中か否かを示すパイロットランプとしての機能を有する上記（１）ないし（６）のいずれかに記載の照明器具。
【００１８】
（８）  前記ＬＥＤユニットは、前記ＬＥＤ光源を複数有し、該複数のＬＥＤ光源が連設されている上記（１）ないし（７）のいずれかに記載の照明器具。
【００１９】
（９）  上記（１）ないし（８）のいずれかに記載の照明器具を備えることを特徴とする建築部材。
【００２０】
（１０）  当該建築部材には、窓ガラスと、窓ガラスの内側にある窓枠、障子、襖、ブラインド、カーテンおよび手摺とが含まれる上記（９）に記載の建築部材。
【発明の効果】
【００２１】
本発明によれば、窓の内側（室内側）の近傍において、ＬＥＤ光源で発生した熱により加熱されて上昇する熱気（暖気）により、その窓ガラスを介して冷却されて下降する空気流、すなわち下降する冷気（寒気）が、相殺または緩和され、これにより、コールドドラフトを防止することができる。これによって、足元が、「スースー」したり、「ヒヤッ」とする不快感が解消され、建築物を快適に利用することができる。
【００２２】
そして、本発明は、前記コールドドラフトを防止する機能の他にも、種々の機能を有しており、さらに下記の効果が得られる。
【００２３】
すなわち、本発明によれば、ＬＥＤ光源から発せられた光により、建築物の内部、外部、窓ガラスや枠部材が照明される。この照明、特に、建築物の内部の照明により、美的効果や癒し効果（リラクゼーション効果）が得られる。また、前記照明により、防犯効果が得られる。また、前記照明により、窓ガラスや枠部材の結露の程度の視認性を向上させることができる。
【００２４】
また、ＬＥＤ光源で発生した熱により、窓ガラスや枠部材の結露を防止することができる。
【００２５】
また、照明器具が作動しているときは、ＬＥＤ光源は点灯（発光）し、逆に、照明器具が作動していないときは、ＬＥＤ光源は消灯しているので、ＬＥＤユニット（ＬＥＤ光源）は、当該照明器具が作動中か否かを示すパイロットランプとしても機能する。これにより、照明器具が作動中か否かを容易かつ確実に把握することができる。
【発明を実施するための最良の形態】
【００２６】
以下、本発明の照明器具（コールドドラフト防止用照明器具）および建築部材（建材）を添付図面に示す好適実施形態に基づいて詳細に説明する。
【００２７】
＜第１実施形態＞
図１および図２は、本発明の照明器具の第１実施形態およびその照明器具を備えた建築部材を示す断面図である。また、図３は、本発明におけるＬＥＤユニットの構成例を示す斜視図である。また、図４は、本発明におけるＬＥＤ光源の構成例を示す図であり、図４（Ａ）は、平面図、図４（Ｂ）は、正面図、図４（Ｃ）は、断面図である。
【００２８】
なお、説明の都合上、図１において、上側を「上」、下側を「下」、図２において、左側を「左」、右側を「右」として説明する。また、図１中の上下方向が鉛直方向、紙面に対して垂直な方向および左右方向が水平方向である。また、図２中の紙面に対して垂直な方向が鉛直方向、上下方向および左右方向が水平方向である。
ここで、第１実施形態における建築部材（建材）は、窓枠（照明付き窓枠）である。
【００２９】
また、窓（窓ユニット）は、その窓ガラスユニット（窓ガラス）が、建築物としての図示しない住宅（家屋）の開口部に対して、開閉（変位）可能に設置されている開閉（変位）可能な形態（タイプ）のもの、すなわち、引き違い窓である。
【００３０】
図１および図２に示すように、図示しない住宅（家屋）の壁（躯体）２００には、その住宅の内部（所定の居住空間）と外部とを連通する開口部２１０が形成されている。
【００３１】
窓１は、その開口部２１０に設置（固定）されている枠部材（第１の枠部材）６と、枠部材６に対して移動（変位）可能に設置されている２つの窓ガラスユニット（ガラス板ユニット）５とを備えている。
【００３２】
また、窓ガラス２（窓ガラスユニット５）の内側、すなわち、開口部２１０の枠部材６の内側（図１中右側）には、窓枠７が設置（固定）されている。
【００３３】
各窓ガラスユニット５は、それぞれ、１枚のガラス板で構成された窓ガラス２と、窓ガラス２の外周部を支持（保持）する枠部材（第２の枠部材）３とを有している。
【００３４】
窓ガラス２は、図示例では、略四角形をなしている。この窓ガラスとしては、例えば、透明ガラス、半透明ガラス、曇ガラスのような不透明に近いガラス等、種々のものを用いることができる。
【００３５】
なお、窓ガラス２としては、１枚のガラス板で構成されたものに限らす、例えば、ペアガラス（図示せず）を用いてもよい。ペアガラスは、例えば、枠状のスペーサと、このスペーサを介して（間隔を隔てて）互いに対向するように設置された１対（２枚）のガラス板とによって構成される。スペーサは、１対のガラス板の間に位置し、１対のガラス板の外周部に固着（固定）されている。これら１対のガラス板と、スペーサとで、ペアガラスの内部に閉じた空間（閉空間）が形成（画成）される。すなわち、ペアガラスの内部は、スペーサによって密閉されている。
【００３６】
枠部材３は、窓ガラス２に対応した形状をなし、図示例では、上枠（横枠）３１、下枠（横枠）３２、右枠（縦枠）３３および左枠（縦枠）３４で構成され、その全体形状は、略四角形をなしている。この枠部材３の構成材料としては、特に限定されないが、例えば、アルミニウムやアルミニウム系合金等が挙げられる。
【００３７】
また、各枠部材３の上枠３１および下枠３２には、それぞれ、その長手方向に沿って溝３５が形成されている。
【００３８】
枠部材６は、図示例では、上枠（横枠）６１、下枠（横枠）６２、右枠（縦枠）６３および左枠（縦枠６４）で構成され、その全体形状は、略四角形をなしている。この枠部材６の構成材料としては、特に限定されないが、例えば、アルミニウムやアルミニウム系合金等が挙げられる。
【００３９】
また、枠部材６には、窓ガラスユニット５がその枠部材６に対して移動（変位）する際、窓ガラスユニット５を案内するガイド手段として、１対のレール（凸状）６５、６５が、２組形成されている。
【００４０】
すなわち、枠部材６の上枠６１には、外側の窓ガラスユニット５の溝３５に挿入されるレール６５が、その上枠６１の長手方向に沿って形成され、下枠６２には、外側の窓ガラスユニット５の溝３５に挿入されるレール６５が、その下枠６２の長手方向に沿って形成されており、さらに、枠部材６の上枠６１には、内側の窓ガラスユニット５の溝３５に挿入されるレール６５が、その上枠６１の長手方向に沿って形成され、下枠６２には、内側の窓ガラスユニット５の溝３５に挿入されるレール６５が、その下枠６２の長手方向に沿って形成されている。これにより、外側の窓ガラスユニット５および内側の窓ガラスユニット５は、それぞれ、対応する１対のレール６５、６５に沿って移動することができ、これによって、窓１（窓ガラスユニット５）の開閉を行なうことができる。
【００４１】
なお、窓ガラスユニット５の枠部材３の溝３５内に、車輪を設けてもよい。これにより、窓ガラスユニット５を、より円滑に移動させることができる。
【００４２】
また、前記と逆に、窓ガラスユニット５の枠部材３に、レール（凸状）を形成し、枠部材６に、前記レールが挿入される溝を形成してもよい。
【００４３】
窓枠７は、図示例では、上枠（横枠）７１、下枠（横枠）７２、右枠（縦枠）７３および左枠（縦枠）７４で構成され、その全体形状は、略四角形をなしている。
【００４４】
また、窓枠７の下枠７２における窓ガラス２（窓ガラスユニット５）の直近には、その下枠７２の長手方向（図２中、左右方向）に沿って溝７２１が形成されている。
【００４５】
図１〜図３に示すように、照明器具１０は、複数の図４に示すＬＥＤ（発光ダイオード）光源９１を連設してなるＬＥＤユニット９０と、光透過性を有するカバー部材（透明板）１１とを備えている。
【００４６】
ＬＥＤユニット９０は、前記窓ガラス２（窓ガラスユニット５）に対して住宅の内側（図１中右側）であって、その窓ガラス２の直近（窓ガラス２の内側の直近）、すなわち、窓枠７の下枠７２の溝７２１内に設置（固定）されている。そして、カバー部材１１は、下枠７２の溝７２１の部分の上部に設置（固定）されている。すなわち、ＬＥＤユニット９０は、窓枠７の下枠７２に埋設され、カバー部材１１により覆われている。カバー部材１１の構成材料としては、例えば、各種樹脂や各種ガラス等が挙げられる。
【００４７】
このように、照明器具１０の設置状態（使用状態）で、ＬＥＤユニット９０は、窓ガラス２（窓ガラスユニット５）の鉛直方向の下側に位置し、窓枠７の下枠７２（下枠７２の長手方向）に沿って配置され、また、その光軸９１１の方向は、上側を向いている。また、照明器具１０の設置状態（使用状態）では、ＬＥＤユニット９０と窓ガラス２（窓ガラスユニット５）とが、略平行となる。
【００４８】
ＬＥＤユニット９０としては、図３（Ａ）に示すように、パッケージ化されたもの、図３（Ｂ）に示すように、その表面が絶縁された通電用の導線（ケーブル）等で繋がっているもの等、種々の形態のものを用いることができる。本実施形態では、図３（Ａ）に示す、複数のＬＥＤ光源９１が略直線状に連設され、パッケージ化されて、長尺状をなすＬＥＤユニット９０が用いられている。
【００４９】
図４に示すように、ＬＥＤ光源９１は、矩形板状の基盤９２と、基盤９２の一方の面（図４（Ｃ）において上側の面）上に設けられた反射板９３と、ＬＥＤ素子９４と、蛍光体９５と、レンズ９６とを備えている。
【００５０】
基盤９２は、矩形の金属板が多層に積層されて形成されている。また、基盤９２には、プラス電極９７とマイナス電極９８とが、その多層の金属板の間に挟まれて取り付けられている。この場合、プラス電極９７とマイナス電極９８とが短絡（ショート）しないようになっている。また、基盤９２の主材料には、ＬＥＤ素子９４の熱を逃がし易い材料、すなわち、熱伝導率の高い、例えば、アルミニウムやアルミニウム系合金等の金属材料が用いられる。
【００５１】
また、反射板９３は、枠状をなし、基盤９２の外周部に設置されており、その内面において光を反射する。
【００５２】
また、ＬＥＤ素子９４は、反射板９３の内側、すなわち、基盤９２の中央部に設置されている。また、ＬＥＤ素子９４は、その下面にプラス電極９４ａおよびマイナス電極９４ｂを有している。このプラス電極９４ａおよびマイナス電極９４ｂは、それぞれ、基盤９２のプラス電極９７およびマイナス電極９８に接続されている。ＬＥＤ素子９４は、プラス電極９４ａおよびマイナス電極９４ｂを介して低電圧直流電流が供給されることにより点灯（発光）する。
【００５３】
また、蛍光体９５は、ＬＥＤ素子９４を覆うように形成されており、レンズ９６は、反射板９３の内面および蛍光体９５を覆うように形成されている。
【００５４】
なお、ＬＥＤ光源９１の構造は、前述したものには限定されず、種々のものを用いることができる。
【００５５】
この場合、例えば、ＬＥＤ光源９１の外形形状は、直方体に限らず、例えば、円盤状、球状等であってもよい。
【００５６】
また、レンズ９６として、他の形状、特性ものを用いてもよく、また、レンズ９６が省略されていてもよい。
【００５７】
前記照明器具１０のＬＥＤユニット９０は、導線により図示しない電源部に接続されており、その電源部から電流（例えば、低電圧直流電流）が供給されると、駆動（作動）し、各ＬＥＤ光源９１がそれぞれ点灯（発光）する。
【００５８】
なお、前記各ＬＥＤ光源９１が発する光（照明光）の色、すなわち、各ＬＥＤ素子９４における発光色は、白色であってもよく、また、例えば、赤色、緑色、青色等の種々のカラー色であってもよい。
【００５９】
また、各ＬＥＤ素子９４における発光色は、同一であってもよく、また、異なっていてもよい（異なる色を任意に組み合わせてもよい）。
【００６０】
次に、照明器具１０（照明器具１０を備える窓枠７）の作用（動作）について説明する。
【００６１】
照明器具１０が作動し、ＬＥＤユニット９０に電流が供給されてそのＬＥＤユニット９０が駆動すると、ＬＥＤ光源９１が点灯（発光）する。これにより、ＬＥＤ光源９１から光が発せられ、この光により、住宅の内部、外部、窓ガラス２、枠部材３、枠部材６が照明され、また、住宅の内部の照明を、窓ガラス２を介して住宅の外部からも見ることができる。
【００６２】
この照明、特に、住宅の内部の照明により、美的効果や癒し効果（リラクゼーション効果）が得られる。
【００６３】
また、住宅の外部からでも窓ガラス２を介して内部の照明を見ることができ、これにより、住宅内に人がいるような感覚を与えることができ、また、住宅の外部において、窓１に人が接近すると、その外部への照明により、その人が明るく照らされ、これらにより、防犯効果が得られる。
【００６４】
また、前記照明により、窓ガラス２、枠部材３、枠部材６の結露の程度の視認性を向上させることができる。
【００６５】
また、ＬＥＤユニット９０は、窓ガラス２（窓ガラスユニット５）の鉛直方向の下側に位置しており、ＬＥＤ光源９１で発生した熱により、ＬＥＤ光源９１の近傍の空気、すなわち、窓ガラス２の下側の空気は、加熱されて上昇し、これにより、窓ガラス２の内側に生じるコールドドラフトが防止される。
【００６６】
具体的には、コールドドラフト（コールドドラフト現象）は、窓１の近傍の室内の空気が、その窓ガラス２を介して冷却されて下降することによって生じるものであるが、ＬＥＤ光源９１で発生した熱により加熱されて上昇する空気流、すなわち、上昇する熱気（暖気）により、窓１の室内側の近傍において、その窓ガラス２を介して冷却されて下降する空気流、すなわち下降する冷気（寒気）が、相殺または緩和され、これにより、コールドドラフトを防止することができる。これによって、足元が、「スースー」したり、「ヒヤッ」とする不快感が解消され、住宅において快適に生活することができる。
【００６７】
また、ＬＥＤ光源９１で発生した熱やその熱により加熱された空気により、窓ガラス２、枠部材３および６が加熱され、これら窓ガラス２、枠部材３および６の結露を防止することができる。
【００６８】
また、照明器具１０が作動しているときは、ＬＥＤ光源９１は点灯し、逆に、照明器具１０が作動していないときは、ＬＥＤ光源９１は消灯しているので、ＬＥＤユニット９０（ＬＥＤ光源９１）は、当該照明器具１０が作動中か否かを示すパイロットランプとして機能する。これにより、照明器具１０が作動中か否かを容易かつ確実に把握することができる。
【００６９】
以上説明したように、この照明器具１０によれば、コールドドラフトを防止することができるだけでなく、その照明による美的効果や癒し効果、結露防止、照明器具１０が作動中か否かを容易かつ確実に把握することができる等、前述した種々の効果が得られる。
【００７０】
また、照明器具１０の光源としてＬＥＤ光源９１を用いており、ＬＥＤ光源９１は、その寸法を容易に小さくすることができるので、窓枠７に、そのＬＥＤ光源９１を容易かつ確実に設置することができる。
【００７１】
また、ＬＥＤ光源９１の消費電力は、比較的小さいので、照明器具１０を連続的に長時間、作動させても安全である。
【００７２】
ここで、本発明では、窓１（窓ガラス２）を設ける箇所（位置）や寸法は、特に限定されない。例えば、窓１は、部屋の窓に限らず、天窓や、扉（ドア、戸）に設けられる窓等であってもよい。すなわち、窓ガラス２は、部屋の窓の窓ガラスに限らず、天窓の窓ガラスや、扉（ドア、戸）に設けられる窓の窓ガラス等であってもよい。
【００７３】
また、本実施形態では、窓ガラス２が、枠部材（第２の枠部材）３を介して、枠部材（第１の枠部材）６に対して移動（変位）可能に設置されているが、本発明では、これに限らず、枠部材３が省略され、窓ガラス２が、直接、枠部材６に対して移動（変位）可能に設置されていてもよい。
【００７４】
また、窓１の方式は、引き違い窓に限定されず、この他、開閉可能な窓としては、例えば、上げ下げ窓、両開き窓、フランス窓、垂直（鉛直）回転窓、水平回転窓、アコーディオン窓等であってもよい。
【００７５】
また、窓１は、その窓ガラス２が、枠部材を介して、住宅（建築物）の開口部２１０に、固定的に設置されている開閉しない形態（タイプ）のものであってもよく、また、その枠部材が省略されていてもよい。
【００７６】
また、窓ガラス２の形状は、四角形に限らず、例えば、略五角形等の四角形以外の多角形や、略円形、略楕円形等が挙げられる。
また、窓ガラス２は、平板状ものに限らず、例えば、湾曲または屈曲していてもよい。
【００７７】
また、窓ガラスユニット５（窓ガラス２）の数は、２枚に限らず、１枚でもよく、また、３枚以上でもよい。
【００７８】
また、ＬＥＤユニット９０（ＬＥＤ光源９１）の窓枠７における位置、姿勢（光軸９１１の方向）、数等は、図示例に限定されるものではない。例えば、照明器具１０は、複数のＬＥＤユニット９０を有していてもよい。
また、ＬＥＤユニット９０のＬＥＤ光源９１の数は、１つでもよい。
【００７９】
また、本実施形態では、ＬＥＤユニット９０（照明器具１０）は、窓枠７に設置されているが、本発明では、住宅（建築物）の窓ガラス２の内側の直近であれば、他の部位（建築部材）に設置されていてもよい。なお、後述する実施形態では、他のいくつかの構成例を説明する。
【００８０】
また、ＬＥＤユニット９０（照明器具１０）は、住宅（建築物）の窓ガラス２自体に設置されていてもよい。
【００８１】
また、本実施形態では、ＬＥＤユニット９０（照明器具１０）は、固定的に設置されているが、本発明では、これに限らず、着脱自在に設置されるようになっていてもよい。なお、後述する実施形態では、着脱自在に設置する形態（タイプ）のいくつかの構成例を説明する。
【００８２】
＜第２実施形態＞
図５は、照明器具の第２実施形態を示す断面図である。
【００８３】
なお、説明の都合上、図５において、上側を「上」、下側を「下」として説明する。また、図５中の上下方向が鉛直方向、紙面に対して垂直な方向および左右方向が水平方向である。
【００８４】
以下、第２実施形態について、前述した第１実施形態との違いを中心に説明し、同様の事項についてはその説明を省略する。
【００８５】
図５に示すように、第２実施形態では、照明器具１０は、枠部材６と窓枠７との間に設置（固定）されている。
【００８６】
すなわち、枠部材６の下枠６２と窓枠７の下枠７２との間の壁２００上には、台座（基台）１２が設置されており、照明器具１０のＬＥＤユニット９０は、その台座１２上（枠部材６の下枠６２と窓枠７の下枠７２との間の間隙）に設置され、カバー部材１１は、下枠６２と下枠７２との間の間隙の上部に位置し、これら下枠６２および下枠７２に設置されている。また、ＬＥＤユニット９０は、枠部材６の下枠６２（下枠６２の長手方向）および窓枠７の下枠７２（下枠７２の長手方向）に沿って配置されている。
この第２実施形態によれば、前述した第１実施形態と同様の効果が得られる。
【００８７】
＜第３実施形態＞
図６は、本発明の照明器具の第３実施形態およびその照明器具を備えた建築部材を示す断面図である。
【００８８】
なお、説明の都合上、図６において、上側を「上」、下側を「下」として説明する。また、図６中の上下方向が鉛直方向、紙面に対して垂直な方向および左右方向が水平方向である。
【００８９】
ここで、第３実施形態における建築部材（建材）は、枠部材（照明付き枠部材）である。
【００９０】
以下、第３実施形態について、前述した第１実施形態との違いを中心に説明し、同様の事項についてはその説明を省略する。
【００９１】
図６に示すように、第３実施形態では、照明器具１０は、枠部材６に設置（固定）されている。
【００９２】
すなわち、照明器具１０のＬＥＤユニット９０は、枠部材６の下枠６２に設置され、カバー部材１１は、下枠６２の上部に設置されている。また、ＬＥＤユニット９０は、枠部材６の下枠６２（下枠６２の長手方向）に沿って配置されている。
この第３実施形態によれば、前述した第１実施形態と同様の効果が得られる。
【００９３】
なお、照明器具１０（ＬＥＤユニット９０）は、枠部材６に替えて、枠部材３（枠部材３の下枠３２）に設置（固定）してもよい。
【００９４】
＜第４実施形態＞
図７は、本発明の照明器具の第４実施形態を示す断面図である。
【００９５】
なお、説明の都合上、図７において、上側を「上」、下側を「下」として説明する。また、図７中の上下方向が鉛直方向、紙面に対して垂直な方向および左右方向が水平方向である。
【００９６】
以下、第４実施形態について、前述した第１実施形態との違いを中心に説明し、同様の事項についてはその説明を省略する。
【００９７】
図７に示す第４実施形態の照明器具１０は、着脱自在に設置する形態（タイプ）のものである。
【００９８】
図７に示すように、照明器具１０は、ＬＥＤユニット９０と、ケーシング１３とを備えており、ＬＥＤユニット９０は、ケーシング１３内に設置（固定）されている。また、ケーシング１３の上板（蓋体）１３１は、光透過性を有している。
【００９９】
この照明器具１０（ＬＥＤユニット９０）は、窓枠７の下枠７２上に、その下枠７２（下枠７２の長手方向）に沿って載置される。
【０１００】
なお、照明器具１０は、下枠７２以外の部位に載置されてもよい。
この第４実施形態によれば、前述した第１実施形態と同様の効果が得られる。
【０１０１】
そして、第４実施形態では、例えば、夏季や昼間等、気温が比較的高く、コールドドラフトが生じないとき等、照明器具１０を必要としないときは、照明器具１０を下枠７２上から退避させておくことができ、その照明器具１０が邪魔にならないという利点がある。
【０１０２】
＜第５実施形態＞
図８は、本発明の照明器具の第５実施形態を示す断面図である。
【０１０３】
なお、説明の都合上、図８において、上側を「上」、下側を「下」として説明する。また、図８中の上下方向が鉛直方向、紙面に対して垂直な方向および左右方向が水平方向である。
【０１０４】
以下、第５実施形態について、前述した第１実施形態との違いを中心に説明し、同様の事項についてはその説明を省略する。
【０１０５】
図８に示す第５実施形態の照明器具１０は、着脱自在に設置する形態（タイプ）のものである。
【０１０６】
図８に示すように、照明器具１０は、ＬＥＤユニット９０と、ケーシング１３とを備えており、ＬＥＤユニット９０は、ケーシング１３内に設置（固定）されている。また、ケーシング１３の上板（蓋体）１３１は、光透過性を有している。
【０１０７】
また、ケーシング１３の底板（基体）１３２には、略鉛直方向の上方に向って壁部（塞き止め手段）１４が立設されている。照明器具１０の設置状態（使用状態）で、ＬＥＤユニット９０は、窓ガラス２とこの壁部１４との間に位置している。また、壁部１４の高さ（鉛直方向の上端部の位置）は、ケーシング１３の上板１３１の位置やＬＥＤユニット９０の高さよりも高く設定されている。
【０１０８】
この壁部１４により、窓ガラス２を介して冷却されて下降する空気流、すなわち下降する冷気が塞き止められ、これによって、コールドドラフトをより確実に防止することができる。
【０１０９】
この照明器具１０（ＬＥＤユニット９０）は、窓枠７の下枠７２上に、その下枠７２（下枠７２の長手方向）に沿って載置される。
【０１１０】
なお、照明器具１０は、下枠７２以外の部位に載置されてもよい。また、壁部１４の形状は、図示例以外の形状であってもよい。
この第５実施形態によれば、前述した第１実施形態と同様の効果が得られる。
【０１１１】
そして、第５実施形態では、例えば、夏季や昼間等、気温が比較的高く、コールドドラフトが生じないとき等、照明器具１０を必要としないときは、照明器具１０を下枠７２上から退避させておくことができ、その照明器具１０が邪魔にならないという利点がある。
【０１１２】
また、壁部１４を有しているので、コールドドラフトをより確実に防止することができる。
【０１１３】
なお、前述した第１実施形態〜第３実施形態、後述する第９実施形態および第１０実施形態においても、それぞれ、所定の部位に壁部１４を設けてもよい。
【０１１４】
＜第６実施形態＞
図９は、本発明の照明器具の第６実施形態を示す図であり、図９（Ａ）は、断面図、図９（Ｂ）は、壁部材の斜視図である。
【０１１５】
なお、説明の都合上、図９（Ａ）において、左側を「左」、右側を「右」として説明する。また、図９（Ａ）中の紙面に対して垂直な方向が鉛直方向、上下方向および左右方向が水平方向である。
【０１１６】
以下、第６実施形態について、前述した第５実施形態との違いを中心に説明し、同様の事項についてはその説明を省略する。
【０１１７】
図９に示すように、第６実施形態では、照明器具１０は、照明器具本体１００と、第５実施形態の壁部１４に相当する壁部材（壁部）（塞き止め手段）１５とを備えており、照明器具本体１００と壁部材１５とが別体になっている（別部材で構成されている）。照明器具本体１００は、ＬＥＤユニット９０と、ケーシング１３とを備えており、ＬＥＤユニット９０は、ケーシング１３内に設置（固定）されている。
【０１１８】
また、照明器具本体１００（ＬＥＤユニット９０）の長手方向（図９中、左右方向）の長さは、比較的短く（第５実施形態に比べて短く）設定されている。
【０１１９】
また、壁部材１５は、その中央部において、図示されるように屈曲または湾曲している。これにより、壁部材１５は、単独で、倒れずに、窓枠７の下枠７２上に載置される。
【０１２０】
この照明器具１０の照明器具本体１００は、窓枠７の下枠７２上に、その下枠７２の長手方向の中央部に位置するように、下枠７２（下枠７２の長手方向）に沿って載置される。そして、壁部材１５は、内側に向って凸となり（図９（Ａ）中下側が凸となり）、壁部材１５の中央部およびその近傍の部分が照明器具本体１００より内側（図９（Ａ）中下側）に位置するように、窓枠７の下枠７２上に載置される。
この第６実施形態によれば、前述した第５実施形態と同様の効果が得られる。
【０１２１】
＜第７実施形態＞
図１０および図１１は、本発明の照明器具の第７実施形態を示す断面図である。
【０１２２】
なお、説明の都合上、図１０において、上側を「上」、下側を「下」、図１１において、左側を「左」、右側を「右」として説明する。また、図１０中の上下方向が鉛直方向、紙面に対して垂直な方向および左右方向が水平方向である。また、図１１中の紙面に対して垂直な方向が鉛直方向、上下方向および左右方向が水平方向である。
【０１２３】
ここで、第７実施形態における窓（窓ユニット）は、その窓ガラスが、枠部材を介して、建築物としての図示しない住宅（家屋）の開口部に、固定的に設置されている開閉しない形態（タイプ）のものである。
【０１２４】
以下、第７実施形態について、前述した第１実施形態との違いを中心に説明し、同様の事項についてはその説明を省略する。
【０１２５】
図１０および図１１に示すように、第７実施形態では、窓１は、窓ガラス２と、枠部材６とを備えている。窓ガラス２は、その外周部において枠部材６に支持（保持）され、枠部材６は、開口部２１０に設置（固定）されている。すなわち、窓ガラス２は、枠部材６を介して、開口部２１０に設置されており、これにより、その開口部２１０が塞がれている。
【０１２６】
照明器具１０は、ＬＥＤユニット９０と、このＬＥＤユニット９０を住宅（建築物）の窓ガラス２または窓ガラス２の内側の直近に着脱自在に取り付ける（保持する）取付手段である１対の吸盤１６とを備えている。各吸盤１６は、それぞれ、支持部１６０を介して、ＬＥＤユニット９０に固着されている。
【０１２７】
この照明器具１０は、吸盤１６により、例えば、図示例のように、窓ガラス２の内側の表面であって、窓ガラス２の鉛直方向の下側に取り付けられる。すなわち、照明器具１０の設置状態（使用状態）で、ＬＥＤユニット９０は、窓ガラス２の鉛直方向の下側に位置し、枠部材６の下枠６２（下枠６２の長手方向）および窓枠７の下枠７２（下枠７２の長手方向）に沿って配置される。
この第７実施形態によれば、前述した第１実施形態と同様の効果が得られる。
【０１２８】
そして、第７実施形態では、吸盤１６を有しているので、例えば、窓枠７等に照明器具１０を設置するスペースのない場合でも、例えば、窓ガラス２等に照明器具１０を容易に取り付けることができる。
【０１２９】
また、例えば、夏季や昼間等、気温が比較的高く、コールドドラフトが生じないとき等、照明器具１０を必要としないときは、設置されている照明器具１０を窓ガラス２から取り外すことができ、その照明器具１０が邪魔にならないという利点がある。
【０１３０】
また、吸盤１６により、照明器具１０を窓ガラス２以外の部位（建築部材）にも取り付けることができ、このため、汎用性が広い。
【０１３１】
なお、窓１は、前述した第１実施形態のように、窓ガラスユニット５（窓ガラス２）が、住宅（建築物）の開口部２１０に対して、開閉（変位）可能に設置されている開閉（変位）可能な形態（タイプ）のものであってもよい。
【０１３２】
また、本実施形態では、ＬＥＤユニット９０（照明器具１０）は、住宅（建築物）の窓ガラス２に取り付けられているが、本発明では、住宅（建築物）の窓ガラス２の内側の直近であれば、窓ガラス２以外の部位（建築部材）に取り付けてもよい。
【０１３３】
＜第８実施形態＞
図１２は、本発明の照明器具の第８実施形態を示す断面図である。
【０１３４】
なお、説明の都合上、図１２において、上側を「上」、下側を「下」として説明する。また、図１２中の上下方向が鉛直方向、紙面に対して垂直な方向および左右方向が水平方向である。
【０１３５】
以下、第８実施形態について、前述した第７実施形態との違いを中心に説明し、同様の事項についてはその説明を省略する。
【０１３６】
図１２に示すように、第８実施形態では、照明器具１０は、ＬＥＤユニット９０と、壁部（塞き止め手段）１７と、これらＬＥＤユニット９０および壁部１７を住宅（建築物）の窓ガラス２または窓ガラス２の内側の直近に着脱自在に取り付ける（保持する）取付手段である１対の吸盤１６とを備えている。各吸盤１６は、それぞれ、支持部１６０介して、ＬＥＤユニット９０に固着され、また、壁部１７は、支持部１７０介して、ＬＥＤユニット９０に固着されている。
【０１３７】
壁部１７は、板状体をその途中で屈曲または湾曲させた形状（略Ｌ字状）をなし、第１の板状部１７１と第２の板状部１７２とで構成されている。
【０１３８】
照明器具１０の設置状態（使用状態）、すなわち、吸盤１６により、照明器具１０が窓ガラス２に取り付けられた状態で、壁部１７の第１の板状部１７１は、略鉛直方向（略上下方向）に沿って延在し、また、第２の板状部１７２は、略水平方向に沿って延在する。
【０１３９】
また、照明器具１０の設置状態（使用状態）で、ＬＥＤユニット９０は、窓ガラス２と壁部１７の第１の板状部１７１との間に位置し、第２の板状部１７２は、ＬＥＤユニット９０より下側に位置している。また、第１の板状部１７１の高さ（鉛直方向の上端部の位置）は、ＬＥＤユニット９０の高さよりも高く設定されている。
【０１４０】
この壁部１７により、窓ガラス２を介して冷却されて下降する空気流、すなわち下降する冷気が塞き止められ、これによって、コールドドラフトをより確実に防止することができる。
【０１４１】
なお、壁部１７の形状は、図示例以外の形状であってもよい。
この第８実施形態によれば、前述した第７実施形態と同様の効果が得られる。
【０１４２】
そして、第８実施形態では、吸盤１６を有しているので、例えば、窓枠７等に照明器具１０を設置するスペースのない場合でも、例えば、窓ガラス２等に照明器具１０を容易に取り付けることができる。
【０１４３】
また、例えば、夏季や昼間等、気温が比較的高く、コールドドラフトが生じないとき等、照明器具１０を必要としないときは、設置されている照明器具１０を取り外すことができ、その照明器具１０が邪魔にならないという利点がある。
【０１４４】
また、吸盤１６により、照明器具１０を窓ガラス２以外の部位（建築部材）にも取り付けることができ、このため、汎用性が広い。
【０１４５】
また、壁部１７を有しているので、コールドドラフトをより確実に防止することができる。
【０１４６】
＜第９実施形態＞
図１３は、本発明の照明器具の第９実施形態およびその照明器具を備えた建築部材を示す断面斜視図である。
【０１４７】
なお、説明の都合上、図１３において、上側を「上」、下側を「下」として説明する。また、図１３中の上下方向が鉛直方向、紙面に対して垂直な方向および左右方向が水平方向である。
【０１４８】
ここで、第９実施形態における建築部材（建材）は、手摺（照明付き手摺）である。なお、手摺には、柵等も含まれる。
【０１４９】
以下、第９実施形態について、前述した第１実施形態との違いを中心に説明し、同様の事項についてはその説明を省略する。
【０１５０】
図１３に示すように、第９実施形態では、窓ガラス２（窓ガラスユニット５）の内側の直近、すなわち、窓枠７の下枠７２上に、手摺（柵）１８が設置（固定）されている。
【０１５１】
また、照明器具１０のＬＥＤユニット９０として、図３（Ｂ）に示す、複数のＬＥＤ光源９１が、通電用の導線（ケーブル）を介して連設されているものが用いられている。
【０１５２】
そして、この照明器具１０のＬＥＤユニット９０は、手摺１８に設置（固定）されている。すなわち、ＬＥＤユニット９０の各ＬＥＤ光源９１は、それぞれ、手摺１８の縦材（縦フレーム）１８１に設置されている。
【０１５３】
なお、ＬＥＤユニット９０各ＬＥＤ光源９１は、これに限らず、例えば、手摺１８の横材（横フレーム）１８２に設置されていてもよく、また、縦材１８１と横材１８２とに分散して設置されていてもよい。
この第９実施形態によれば、前述した第１実施形態と同様の効果が得られる。
【０１５４】
＜第１０実施形態＞
図１４は、本発明の照明器具の第１０実施形態およびその照明器具を備えた建築部材を示す断面斜視図である。
【０１５５】
なお、説明の都合上、図１４において、上側を「上」、下側を「下」として説明する。また、図１４中の上下方向が鉛直方向、紙面に対して垂直な方向および左右方向が水平方向である。
【０１５６】
ここで、第１０実施形態における建築部材（建材）は、ブラインド（照明付きブラインド）である。
【０１５７】
以下、第１０実施形態について、前述した第１実施形態との違いを中心に説明し、同様の事項についてはその説明を省略する。
【０１５８】
図１４に示すように、第１０実施形態では、窓ガラス２（窓ガラスユニット５）の内側の直近、すなわち、窓枠７の上枠７１に、ブラインド１９が、開閉自在に設置（固定）されている。
【０１５９】
また、照明器具１０のＬＥＤユニット９０として、図３（Ｂ）に示す、複数のＬＥＤ光源９１が、通電用の導線（ケーブル）を介して連設されているものが用いられている。
【０１６０】
そして、この照明器具１０のＬＥＤユニット９０（各ＬＥＤ光源９１）は、ブラインド１９に設置（固定）されている。
【０１６１】
この場合、ＬＥＤユニット９０は、図示されるように、ブラインド１９の下部（最下部）に設置されるのが好ましい。その理由は、下記の通りである。
【０１６２】
すなわち、ＬＥＤユニット９０がブラインド１９の下部に設置されていると、ブラインド１９を閉じたとき、ＬＥＤユニット９０は、窓ガラス２（窓ガラスユニット５）の鉛直方向の下側に位置し、枠部材６の下枠６２（下枠６２の長手方向）に沿って配置される。
【０１６３】
一方、例えば、夜間等、気温の低いとき（寒いとき）、すなわち、コールドドラフトが生じやすいときは、ブラインド１９を閉じて屋外の冷気の影響を抑制つつ、照明器具１０を作動させる。
【０１６４】
従って、照明器具１０の使用状態では、ＬＥＤユニット９０は、窓ガラス２の鉛直方向の下側に位置し、枠部材６の下枠６２に沿って配置される。
この第１０実施形態によれば、前述した第１実施形態と同様の効果が得られる。
【０１６５】
以上、本発明の照明器具および建築部材を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１６６】
また、本発明は、前記各実施形態のうちの、任意の２以上の構成（特徴）を組み合わせたものであってもよい。
【０１６７】
なお、本発明では、窓が設けられ、照明器具や建築部材（建材）が設置される建築物は、住宅に限定されるものではなく、例えば、ビル等の他の建築物であってもよい。
【０１６８】
また、本発明では、ＬＥＤユニット（照明器具）は、建築物の窓ガラスまたは窓ガラスの内側の直近に設置されればよい。
【０１６９】
すなわち、ＬＥＤユニットは、例えば、窓ガラス自体、または、窓ガラスの内側にある窓枠、障子、襖、ブラインド、カーテンおよび手摺等のうちのいずれかに設置される。
【０１７０】
また、本発明では、取付手段は、ＬＥＤユニット（照明器具）を、建築物の窓ガラスまたは窓ガラスの内側の直近に着脱自在に取り付けるものであればよい。
【０１７１】
すなわち、取付手段は、ＬＥＤユニットを、例えば、窓ガラス、または、窓ガラスの内側にある窓枠、障子、襖、ブラインド、カーテンおよび手摺等のうちのいずれかに取り付ける手段である。
【０１７２】
また、本発明では、取付手段は、吸盤に限定されない。
また、本発明では、建築部材（建材）は、本発明の照明器具を備えていればよい。
【０１７３】
すなわち、建築部材には、例えば、窓ガラスと、窓ガラスの内側にある窓枠、障子、襖、ブラインド、カーテンおよび手摺等が含まれる。
【図面の簡単な説明】
【０１７４】
【図１】本発明の照明器具の第１実施形態およびその照明器具を備えた建築部材を示す断面図である。
【図２】本発明の照明器具の第１実施形態およびその照明器具を備えた建築部材を示す断面図である。
【図３】本発明におけるＬＥＤユニットの構成例を示す斜視図である。
【図４】本発明におけるＬＥＤ光源の構成例を示す図であり、（Ａ）は、平面図、（Ｂ）は、正面図、（Ｃ）は、断面図である。
【図５】本発明の照明器具の第２実施形態を示す断面図である。
【図６】本発明の照明器具の第３実施形態およびその照明器具を備えた建築部材を示す断面図である。
【図７】本発明の照明器具の第４実施形態を示す断面図である。
【図８】本発明の照明器具の第５実施形態を示す断面図である。
【図９】本発明の照明器具の第６実施形態を示す図であり、（Ａ）は、断面図、（Ｂ）は、壁部材の斜視図である。
【図１０】本発明の照明器具の第７実施形態を示す断面図である。
【図１１】本発明の照明器具の第７実施形態を示す断面図である。
【図１２】本発明の照明器具の第８実施形態を示す断面図である。
【図１３】本発明の照明器具の第９実施形態およびその照明器具を備えた建築部材を示す断面斜視図である。
【図１４】本発明の照明器具の第１０実施形態およびその照明器具を備えた建築部材を示す断面斜視図である。
【符号の説明】
【０１７５】
１                窓
２                窓ガラス
３                枠部材
３１              上枠
３２              下枠
３３              右枠
３４              左枠
３５              溝
５                窓ガラスユニット
６                枠部材
６１              上枠
６２              下枠
６３              右枠
６４              左枠
６５              レール
７                窓枠
７１              上枠
７２              下枠
７２１            溝
７３              右枠
７４              左枠
９０              ＬＥＤユニット
９１              ＬＥＤ光源
９１１            光軸
９２              基盤
９３              反射板
９４              ＬＥＤ素子
９４ａ            プラス電極
９４ｂ            マイナス電極
９５              蛍光体
９６              レンズ
９７              プラス電極
９８              マイナス電極
１０              照明器具
１００            照明器具本体
１１              カバー部材
１２              台座
１３              ケーシング
１３１            上板
１３２            底板
１４              壁部
１５              壁部材
１６              吸盤
１６０            支持部
１７              壁部
１７０            支持部
１７１            第１の板状部
１７２            第２の板状部
１８              手摺
１８１            縦材
１８２            横材
１９              ブラインド
２００            壁
２１０            開口部
【図１】
0004809124.tif 000002
【図２】
0004809124.tif 000003
【図３】
0004809124.tif 000004
【図４】
0004809124.tif 000005
【図５】
0004809124.tif 000006
【図６】
0004809124.tif 000007
【図７】
0004809124.tif 000008
【図８】
0004809124.tif 000009
【図９】
0004809124.tif 000010
【図１０】
0004809124.tif 000011
【図１１】
0004809124.tif 000012
【図１２】
0004809124.tif 000013
【図１３】
0004809124.tif 000014
【図１４】
0004809124.tif 000015